(57)【要約】【課題】グレーチングを溝または集水桝に設置したとき、前記溝または集水桝に適用され、収容した薬剤を用いて前記溝または集水桝における害虫の発生を防止可能とするだけでなく、不衛生な状態で前記薬剤の補充作業を行うことを回避可能とする、グレーチングのための容器を提供する。【解決手段】グレーチング１のための容器１２は、害虫防除用の薬剤３０を収容するための収容部３１と、収容部３１の内部空間に薬剤３０を導入するための導入口３２と、収容部３１の内部空間から収容部３１の外部空間へ薬剤３０を放出するための放出孔３３とを備える。容器１２は、グレーチング１が集水桝２に設置されたときに放出孔３３が集水桝２の内部空間６に位置しかつ導入口３２が溝または集水桝２の外部空間８に向かって開口するように、収容部３１をグレーチング１のグレーチング本体１１に集水桝２の外部空間８側から着脱可能に取り付けるための取付部３４を備える。【選択図】図１
2019054770.tif 000002
【特許請求の範囲】
【請求項１】
グレーチングに用いられる容器であって、
害虫防除用の薬剤を収容するための収容部と、
前記収容部の内部空間に前記薬剤を導入するための導入口と、
前記収容部の内部空間から前記収容部の外部空間へ前記薬剤を放出するための放出孔と、
前記グレーチングが溝または集水桝に設置されたときに前記放出孔が前記溝または集水桝の内部空間に位置しかつ前記導入口が前記溝または集水桝の外部空間に向かって開口するように、前記収容部を前記グレーチングのグレーチング本体に前記溝または集水桝の外部空間側から着脱可能に取り付けるための取付部とを備える、グレーチングのための容器。
【請求項２】
前記導入口を開閉可能に覆うための開閉部材を備える、請求項１に記載のグレーチングのための容器。
【請求項３】
前記開閉部材が、
前記収容部の外部空間に開口しかつ前記収容部の内部空間に開口し得る通孔を有する、請求項２に記載のグレーチングのための容器。
【請求項４】
前記取付部が、
前記グレーチング本体に引っ掛けられ得る引掛部を有する、請求項１から請求項３のいずれか一項に記載のグレーチングのための容器。
【請求項５】
請求項１から請求項４のいずれか一項に記載のグレーチングのための容器を有する、グレーチング。
【発明の詳細な説明】
【技術分野】
【０００１】
本発明は、グレーチングのための容器およびグレーチングに関する。
【背景技術】
【０００２】
従来、排水・汚水の流通路をなす溝または集水桝には、グレーチングが設置されたものがある。そして、このような溝または集水桝のうちの任意の領域（例えば、水が滞留しやすい領域）に対して、蚊またはハエ等の害虫が発生することを防止するために、害虫防除手段が適用されることがある。
【０００３】
前記害虫防除手段としては、例えば、特許文献１（図４等）に、害虫忌避剤を収容した害虫防除具を集水桝の溜まり水に没するように吊下手段により前記集水桝の開口部側から宙吊りして、水没状態にある前記害虫防除具から前記集水桝の溜まり水に前記害虫忌避剤を放出するものが開示されている。
【先行技術文献】
【特許文献】
【０００４】
【特許文献１】特開２０１６−０９６７７８号公報
【発明の概要】
【発明が解決しようとする課題】
【０００５】
特許文献１に記載のような害虫防除手段によれば、害虫防除具が、集水桝内で水中に設置されるので、前記集水桝内の水に含まれる泥等の汚物によりひどく汚れる場合が多い。そのため、汚れた前記害虫防除具および吊下手段を前記集水桝から取り出し、不衛生な前記害虫防除具に対して害虫忌避剤を補充しなければならない問題がある。
【０００６】
本発明は、このような問題に鑑みてなされたものであり、グレーチングを溝または集水桝に設置したとき、前記溝または集水桝に適用され、収容した薬剤を用いて前記溝または集水桝における害虫の発生を防止可能とするだけでなく、不衛生な状態で前記薬剤の補充作業を行うことを回避可能とする、グレーチングのための容器およびグレーチングの提供を目的とする。
【課題を解決するための手段】
【０００７】
本発明は、
グレーチングに用いられる容器であって、
害虫防除用の薬剤を収容するための収容部と、
前記収容部の内部空間に前記薬剤を導入するための導入口と、
前記収容部の内部空間から前記収容部の外部空間へ前記薬剤を放出するための放出孔と、
前記グレーチングが溝または集水桝に設置されたときに前記放出孔が前記溝または集水桝の内部空間に位置しかつ前記導入口が前記溝または集水桝の外部空間に向かって開口するように、前記収容部を前記グレーチングのグレーチング本体に前記溝または集水桝の外部空間側から着脱可能に取り付けるための取付部とを備える、グレーチングのための容器であり得る。
【０００８】
この構成によれば、前記取付部を用いて前記収容部を前記グレーチング本体に前記溝または集水桝の外部空間側から着脱可能に取り付けることが可能となる。そのため、前記収容部を取り付けた前記グレーチング本体により前記グレーチングを構成し、これを前記溝または集水桝に設置する（前記グレーチング本体を前記溝または集水桝の開口部に装着する）ことによって、前記容器を前記グレーチング本体と共に前記溝または集水桝に適用できる。
【０００９】
したがって、前記グレーチングを使用するために前記溝または集水桝に設置したとき、前記薬剤を前記グレーチング本体に取り付けられた前記収容部の内部空間から前記溝または集水桝の内部空間へ前記放出孔を介して放出することが可能となる。よって、前記薬剤を用いて、前記溝または集水桝における害虫の発生を防止できる。
【００１０】
また、前記収容部が前記グレーチング本体に取り付けられている際には、前記導入口が前記溝または集水桝の外部空間に向かって開口するので、前記溝または集水桝の開口部に装着された前記グレーチング本体を当該開口部から取り外すことなく、即ち前記グレーチングを前記溝または集水桝に設置したまま、前記導入口を介して薬剤を前記収容部に補充できる。
【００１１】
したがって、前記グレーチング本体が前記溝または集水桝の開口部に装着された状態で時間が経過して、前記溝または集水桝内の水に含まれる泥等の汚物により前記容器（前記収容部）が汚れた場合であっても、この容器の衛生状態にかかわりなく、薬剤の補充作業を行うことが可能となる。よって、不衛生な状態で薬剤の補充作業を行うことを回避できる。
【００１２】
さらに、前記収容部を、前記グレーチング本体に後付けで取り付けることができる。したがって、主としてメインバー、クロスバーおよびエンドバーを備えるような既存のグレーチング（グレーチング本体）に前記容器を後付けで適用し、これにより害虫の発生を防止するための機能を前記既存のグレーチングに対して簡単に付与することが可能となる。
【００１３】
そのうえ、前記グレーチング本体を前記溝または集水桝の開口部に装着した後、例えば、前記溝または集水桝内の水に含まれる泥等の汚物により前記放出孔が詰まった場合には、前記グレーチング本体を移動させずに、前記収容部を前記グレーチング本体から前記溝または集水桝の外部空間側へ取り外して、清掃を行うことが可能となる。つまり、前記容器の清掃の容易化を図ることができる。
【００１４】
本発明の別の態様によれば、
前記容器が、
前記導入口を開閉可能に覆うための開閉部材を備える。
【００１５】
この構成によれば、前記溝または集水桝への前記容器の適用時に、前記開閉部材をこれが前記導入口を覆う閉状態にすることによって、前記収容部の内部空間に前記溝または集水桝の外部空間から前記導入口を介してゴミ等の不要物が入ることを抑制できる。また、この際、前記開閉部材を前記導入口が開放される開状態にすることによって、前記薬剤を前記溝または集水桝の外部空間から前記導入口を介して前記収容部の内部空間に入れることが可能となる。つまり、薬剤の補充作業を前記開閉部材により妨げられずに済む。
【００１６】
本発明の更なる態様によれば、
前記開閉部材が、
前記収容部の外部空間に開口しかつ前記収容部の内部空間に開口し得る通孔を有する。
【００１７】
この構成によれば、前記溝または集水桝への前記容器の適用時に、前記開閉部材を閉状態にしても、前記収容部の内部空間を、前記通孔を介して前記収容部の外部空間、即ち前記溝または集水桝の外部空間に連通させることが可能となる。そのため、水を、前記溝または集水桝の外部空間から、前記開閉部材の通孔を介して、前記容器の収容部の内部空間に導入することが可能となる。
【００１８】
したがって、この際、前記開閉部材の開閉状態を切り替える手間をかけずに前記開閉部材を閉状態としたまま、降雨等の自然現象や人為的な給水行為による水を前記収容部の内部空間へ導入できる。結果、前記薬剤を水溶性薬剤とした場合に、前記開閉部材が存在しても、前記薬剤を水に簡便に溶かして、前記集水桝の内部空間へ放出することができる。
【００１９】
本発明のまた別の態様によれば、
前記取付部が、
前記グレーチング本体に引っ掛けられ得る引掛部を有する。
【００２０】
この構成によれば、前記引掛部を前記グレーチング本体に引っ掛ることによって、前記収容部を前記グレーチング本体に前記溝または集水桝の外部空間側から着脱可能に取り付けることができる。よって、前記グレーチング本体への収容部ひいては前記容器の取付作業の容易化を図ることができる。しかも、前記容器を既存のグレーチング本体に後付けで簡単に適用することが可能となる。
【００２１】
本発明は、また、
前記グレーチングのための容器を有するグレーチングであり得る。
【発明の効果】
【００２２】
本発明によれば、グレーチングを溝または集水桝に設置したとき、前記溝または集水桝に適用され、収容した薬剤を用いて前記溝または集水桝における害虫の発生を防止可能とするだけでなく、不衛生な状態で前記薬剤の補充作業を行うことを回避可能とする、グレーチングのための容器を提供できる。
【図面の簡単な説明】
【００２３】
【図１】本発明の一実施形態に係る容器および当該容器を有するグレーチングの使用状態の一例を示す断面図である。
【図２】図１のグレーチングの平面図である。
【図３】図２のＡ−Ａ矢視断面図である。
【図４】図２のＢ−Ｂ矢視断面図である。
【図５】図２のグレーチングにおける容器の正面図である。
【図６】図２のグレーチングにおける容器の平面図である。
【図７】図６のＣ−Ｃ矢視断面図である。
【図８】図６のＤ−Ｄ矢視断面図である。
【図９】図５の容器の取付過程を示す断面図である。（ａ）容器の取付前の状態を示す図である。（ｂ）容器の取付後の状態を示す図である。
【図１０】図５の容器における開閉部材の開閉状態を示す断面図である。（ａ）容器の閉状態を示す図である。（ｂ）容器の開状態を示す図である。
【発明を実施するための形態】
【００２４】
本発明の一実施形態について図面を参照しつつ説明する。
【００２５】
図１に、本発明の一実施形態に係る後述の容器１２および当該容器１２を有するグレーチング１の使用状態の一例を表す断面図を示す。
【００２６】
図１に示されるように、容器１２を有するグレーチング１は、排水・汚水の流通路（本実施形態においては、排水・汚水を集水するための集水桝２）に対して使用され得る。容器１２を有するグレーチング１は、その使用時、集水桝２内の水（溜水部３）をその上方から覆うことができるように、集水桝２に設置される。
【００２７】
集水桝２は、本実施形態においては、流入管４と、流出管５とに接続されている。ここで、流入管４は、集水桝２の内部空間６に向かって排水・汚水を流入させるためのものである。流出管５は、集水桝２からその外側へ排水・汚水を流出させるためのものである。
【００２８】
集水桝２は、グレーチング１を設置するための開口部７を有している。開口部７は、集水桝２の内部空間６と外部空間８とを連通させるように、地面９の高さに合わせて形成されている。そしてこの開口部７に、グレーチング１を支持するための受部１０が備えられている。
【００２９】
なお、本発明に係る容器を有するグレーチングは、本実施形態においては集水桝２に使用されるグレーチング１としているが、これに限定するものではなく、例えば、排水・汚水の流通路に含まれる側溝（排水・汚水を流通させ得る溝）に使用されるグレーチングとすることも可能である。
【００３０】
図２に、グレーチング１の平面図を示す。図３に、図２のＡ−Ａ矢視断面図を示す。図４に、図２のＢ−Ｂ矢視断面図を示す。
【００３１】
以下では、図２、図４における矢印Ｘの方向をグレーチング１（容器１２）の前方向とする。図２、図３における矢印Ｙの方向をグレーチング１（容器１２）の左方向とする。図３、図４における矢印Ｚの方向をグレーチング１（容器１２）の上方向とする。
【００３２】
図２、図３、図４に示されるように、グレーチング１は、グレーチング本体１１と、容器１２とを備えている。なお、グレーチング本体１１は公知のグレーチングと同様の構成を有するものである。そのため、グレーチング本体１１として、公知のグレーチングを採用することも可能である。
【００３３】
本実施形態において、グレーチング本体１１は、上面部１５と、下面部１６と、上面部１５から下面部１６まで貫通する複数の貫通孔１７とを有し、上面部１５が集水桝２の外部空間８に臨みかつ下面部１６が集水桝２の内部空間６に臨むように、集水桝２の開口部７に装着可能に構成されている（図１参照）。
【００３４】
グレーチング本体１１は、集水桝２の開口部７に応じた形状、具体的には矩形板状を有している。グレーチング本体１１は、集水桝２の開口部７への装着時に受部１０に載置される。グレーチング本体１１は、メインバー２５と、クロスバー２６と、エンドバー２７とを備えている。
【００３５】
メインバー２５は、金属製の部材である。メインバー２５は、複数設けられている。複数のメインバー２５は、それぞれ、グレーチング１の前後方向に延在するように配置されている。複数のメインバー２５は、また、グレーチング１の左右方向において一定間隔ごとに配置されている。
【００３６】
クロスバー２６は、金属製の部材である。ここで、クロスバー２６は、角鋼棒を捩じって形成された、いわゆるツイストバーである。クロスバー２６は、複数設けられている。複数のクロスバー２６は、それぞれ、グレーチング１の左右方向に延在するように配置されている。
【００３７】
複数のクロスバー２６は、また、グレーチング１の前後方向において一定間隔ごとに配置されている。各クロスバー２６は、複数のメインバー２５の上端部に固定されている。こうして、複数のクロスバー２６が、複数のメインバー２５と格子状に組まれている。
【００３８】
エンドバー２７は、金属製の部材である。エンドバー２７は、複数のメインバー２５の前方および後方の各々に設けられている。前側のエンドバー２７は、複数のメインバー２５の前端部に固定されている。後側のエンドバー２７は、複数のメインバー２５の後端部に固定されている。
【００３９】
そして、これらのメインバー２５、クロスバー２６およびエンドバー２７を適宜用いて、複数の貫通孔１７が形成されている。複数の貫通孔１７は、グレーチング１の前後方向に直線状に列をなすように配置されるとともに、グレーチング１の左右方向に直線状に列をなすように設けられている。
【００４０】
複数の貫通孔１７は、メインバー２５とクロスバー２６とにより形成される複数の第１貫通孔１７Ａと、メインバー２５とクロスバー２６とエンドバー２７とにより形成される複数の第２貫通孔１７Ｂとを含んでいる。複数の第１貫通孔１７Ａは、ほぼ均一な大きさの開口面積を有している。
【００４１】
複数の第２貫通孔１７Ｂは、ほぼ均一な大きさの開口面積を有している。第２貫通孔１７Ｂの開口面積は、第１貫通孔１７Ａの開口面積よりも小さく設定されている。なお、各貫通孔１７（各第１貫通孔１７Ａ、各第２貫通孔１７Ｂ）の開口面積は、このような開口面積に限定されず、適宜設定され得る。
【００４２】
図５に、容器１２の正面図を示す。図６に、容器１２の平面図を示す。図７に、図６のＣ−Ｃ矢視断面図を示す。図８に、図６のＤ−Ｄ矢視断面図を示す。なお、図５、図６、図７、図８においては、本実施形態における容器１２の導入口３２が後述の開閉部材６１により開閉可能に覆われた状態を示している。
【００４３】
図５、図６、図７、図８に示されるように、容器１２は、害虫防除用の薬剤３０を収容するための収容部３１と、収容部３１の内部空間に薬剤３０を導入するための導入口３２と、収容部３１の内部空間から収容部３１の外部空間へ薬剤３０を放出するための放出孔３３とを有している。
【００４４】
容器１２は、取付部３４を更に有している。この取付部３４は、グレーチング１が集水桝２に設置されたときに放出孔３３が集水桝２の内部空間６に位置しかつ導入口３２が集水桝２の外部空間に向かって開口するように、収容部３１をグレーチング本体１１に集水桝２の外部空間８側から着脱可能に取り付けるためのものである。
【００４５】
本実施形態において、容器１２は、グレーチング本体１１に対して１つ設けられている。なお、容器１２は、１つのグレーチング本体１１に対して少なくとも１つ設けられるものであり、１つのグレーチング本体１１に対して複数設けられるものとすることも可能である。
【００４６】
容器１２は、図３、図４に示されるように、取付部３４により収容部３１をグレーチング本体１１に着脱可能に取り付けることによって、グレーチング本体１１の貫通孔１７（第１貫通孔１７Ａ）に挿通された状態で、グレーチング本体１１に着脱可能に保持されるようになっている。
【００４７】
収容部３１は、金属製の部材である。収容部３１は、薬剤３０を収容できる形状、本実施形態においては箱状に形成されている。詳しくは、収容部３１は、中空の直方体状に形成されている。収容部３１は、グレーチング本体１１の貫通孔１７（第１貫通孔１７Ａ）に挿通可能に構成されている。
【００４８】
詳しくは、収容部３１は、グレーチング本体１１の前後幅よりも小さくかつ１つの貫通孔１７（第１貫通孔１７Ａ）の前後幅よりも小さい前後幅を有している。収容部３１は、グレーチング本体１１の左右幅よりも小さくかつ１つの貫通孔１７（第１貫通孔１７Ａ）の左右幅よりも小さい左右幅を有している。
【００４９】
収容部３１は、さらに、グレーチング本体１１の上下幅よりも大きい上下幅を有している。なお、収容部３１の上下幅は、本実施形態においてはグレーチング１が集水桝２に設置されたとき（容器１２が集水桝２に適用されたとき）に通常なら溜水部３に没しないように設定されているが、適宜設定可能である。
【００５０】
こうして、収容部３１は、容器１２がグレーチング本体１１に保持される際、収容部３１の上部側がグレーチング本体１１の貫通孔１７（第１貫通孔１７Ａ）に挿入された状態で、収容部３１の下部側がグレーチング本体１１の下面部１６よりも下方へ位置するようになっている。
【００５１】
また、収容部３１は、底部４１と、周壁部（前壁部４２、後壁部４３、左壁部４４および右壁部４５）とを有している。収容部３１は、その天井部（上部）が上方へ向かって開放されるように形成されている。そしてこの収容部３１の天井部に、導入口３２が設けられている。
【００５２】
底部４１は、矩形平板状に形成されており、グレーチング本体１１とほぼ同様に前後・左右に広がるように配置されている。底部４１は、容器１２がグレーチング本体１１に保持される際、図３、図４に示されるように、グレーチング本体１１の下面部１６に対してその下方へ離間した状態とされる。
【００５３】
前壁部４２および後壁部４３は、それぞれ、矩形平板状に形成されており、上下・左右に広がるように配置されている。前壁部４２および後壁部４３は、それぞれ、底部４１の前端部および後端部に、収容部３１の天井部側（上方）に向かって突出するように設けられている。
【００５４】
左壁部４４および右壁部４５は、それぞれ、矩形平板状に形成されており、上下・前後に広がるように配置されている。左壁部４４および右壁部４５は、それぞれ、底部４１の左端部および右端部に、収容部３１の天井部側（上方）に向かって突出するように設けられている。
【００５５】
こうして、収容部３１に、底部４１とその四方に配置された前記周壁部、即ち前壁部４２、後壁部４３、左壁部４４および右壁部４５により形成された内部空間が形成されている。そしてこの内部空間に、薬剤３０が、底部４１に載置されかつ前記周壁部により囲まれた状態で収容され得るようになっている。
【００５６】
導入口３２は、前述のように収容部３１の天井部（上部）に設けられており、上下方向に開口している。導入口３２は、１つの貫通孔１７（第１貫通孔１７Ａ）の開口面積よりも小さい開口面積を有している。導入口３２は、収容部３１の前後幅および左右幅の各々よりも若干小さい前後幅および左右幅を有している。
【００５７】
こうして、導入口３２は、容器１２がグレーチング本体１１に保持される場合に、収容部３１が貫通孔１７（第１貫通孔１７Ａ）に挿通されるのに伴い、その貫通孔１７の内壁に囲まれ、前記内壁で囲まれた状態で収容部３１の内部空間をグレーチング本体１１の上方空間４８と連通させるようになっている。
【００５８】
なお、導入口３２の開口面積は、１つの貫通孔１７の開口面積よりも小さい範囲において適宜設定される。導入口３２の開口面積は、また、粒状、粉状、錠剤状、細断状または塊状等の形状を有する薬剤３０が収容部３１の内部空間に向かって導入口３２を通過できるように適宜設定される。
【００５９】
また、放出孔３３は、収容部３１に少なくとも１つ設けられている。本実施形態において、放出孔３３は、収容部３１に複数設けられている。複数の放出孔３３は、それぞれ収容部３１の周壁部（本実施形態においては、前壁部４２および後壁部４３）にこれを前後方向に貫通するように設けられている。
【００６０】
詳しくは、放出孔３３は、第１放出孔３３Ａと、第２放出孔３３Ｂとを含んでいる。第１放出孔３３Ａは、丸孔状に形成され、前記周壁部の上側から下側にわたる領域に分散した状態で設けられている。第２放出孔３３Ｂは、前記周壁部のうち底部４１の近くにある領域に設けられている。
【００６１】
こうして、放出孔３３は、グレーチング本体１１が容器１２を保持した状態で集水桝２の開口部７に装着されたとき（グレーチング１が集水桝２に設置されたとき）、収容部３１の内部空間（薬剤３０の収容空間）を、収容部３１の外部空間に、即ち集水桝２の内部空間６に連通させるようになっている。
【００６２】
なお、本発明における放出孔は、本実施形態においては前述のように第１放出孔３３Ａと第２放出孔３３Ｂとを含む放出孔３３としているが、これに限定するものではない。
【００６３】
取付部３４は、収容部３１ひいては容器１２全体をグレーチング本体１１に取り付けるためのものであり、収容部３１に設けられている。本実施形態において、取付部３４は、収容部３１の左右両側に配置されている。そして、取付部３４は、それぞれの側で収容部３１の周壁部（左壁部４４、右壁部４５）の上端部に一体的に接続されている。
【００６４】
そして、取付部３４が、容器１２をグレーチング本体１１に保持できるように構成されている。取付部３４は、導入口３２がグレーチング本体１１の上面部１５付近に位置するように、収容部３１を貫通孔１７に挿通させつつグレーチング本体１１に取り付け得るようになっている。
【００６５】
詳しくは、取付部３４は、放出孔３３がグレーチング本体１１の下面部１６よりも下方に位置しかつ導入口３２がグレーチング本体１１の上方空間４８に向かって開口するように、収容部３１をグレーチング本体１１の下面部１６から下方へ突出させた状態でグレーチング本体１１に保持できるようになっている。
【００６６】
本実施形態において、取付部３４は、グレーチング本体１１に引っ掛けられ得る引掛部５１を有している。引掛部５１は、フック状の部分であり、第１の部分５１ａと、第２の部分５１ｂとを有している。第１の部分５１ａは、収容部３１の周壁部からその側方へ突出するように設けられている。
【００６７】
第２の部分５１ｂは、第１の部分５１ａの突出端部（前記周壁部とは反対側にある端部）に収容部３１の周壁部と対向するように突出した状態で設けられている。第２の部分５１ｂは、収容部３１の周壁部に対し、これとの間にグレーチング本体１１のメインバー２５を挟むことができるように配置されている。
【００６８】
第２の部分５１ｂは、１つの貫通孔１７（第１貫通孔１７Ａ）の前後幅よりも小さい前後幅と、１つの貫通孔１７（第１貫通孔１７Ａ）の左右幅よりも小さい左右幅とを有している。また、第２の部分５１ｂは、グレーチング本体１１よりも小さい（クロスバー２６の上下幅とほぼ同じ）上下幅を有している。
【００６９】
こうして、引掛部５１が、収容部３１を挿通させる貫通孔１７の側方に存在する貫通孔１７に第２の部分５１ｂを上方（上方空間４８側）から挿入し、つづいて第１の部分５１ａをメインバー２５にて下方から支持することによって、メインバー２５に上方空間４８側へ移動可能に引っ掛けられ得るようになっている。
【００７０】
また、収容部３１に収容される薬剤３０としては、蚊またはハエ等の害虫の発生を防止できる公知の害虫防除用薬剤を採用することができる。この薬剤としては、例えば、商品名：スミラブ固形剤WM「SES」（住化エンバイロメンタルサイエンス株式会社製）を挙げることができる。
【００７１】
このような構成により、取付部３４を用いて収容部３１を集水桝２の外部空間８側からグレーチング本体１１に着脱可能に取り付ける（容器１２をグレーチング本体１１に保持する）ことが可能となる。そのため、収容部３１を取り付けたグレーチング本体１１によりグレーチング１を構成し、これを集水桝２に設置する（グレーチング本体１１を集水桝２の開口部７に装着する）ことによって、容器１２をグレーチング本体１１と共に集水桝２に適用できる。
【００７２】
詳しくは、図９（ａ）に示されるように、容器１２がグレーチング本体１１から離間している取付前には、グレーチング本体１１の上方から、収容部３１を複数の貫通孔１７のうちいずれかの貫通孔１７に通す。そして、図９（ｂ）に示されるように、取付部３４の引掛部５１をグレーチング本体１１のメインバー２５に引っ掛けて、取付部３４をグレーチング本体１１に装着する。
【００７３】
そしてこの取付部３４を装着した状態のグレーチング本体１１を集水桝２の開口部７に装着する（グレーチング１を集水桝２に設置する）ことによって、図１に示すように、放出孔３３が集水桝２の内部空間６に開口しかつ導入口３２が集水桝２の外部空間８に開口するように、容器１２をグレーチング本体１１と共に集水桝２に適用できる。
【００７４】
したがって、グレーチング本体１１を集水桝２の開口部７に装着したとき（グレーチング１を集水桝２に設置したとき）、薬剤３０をグレーチング本体１１に取り付けられた収容部３１の内部空間から集水桝２の内部空間６（溜水部３）へ放出孔３３を介して放出（徐放）することが可能となる。よって、薬剤３０を用いて、集水桝２における害虫の発生を防止できる。
【００７５】
また、収容部３１がグレーチング本体１１に取り付けられている際には、導入口３２が集水桝２の外部空間８に向かって開口するので、集水桝２の開口部７に装着されたグレーチング本体１１を当該開口部７から取り外すことなく、即ちグレーチング１を集水桝２に設置したまま、導入口３２を介して薬剤を、収容部３１に補充できる。
【００７６】
したがって、グレーチング本体１１が集水桝２の開口部７に装着された状態で時間が経過して、集水桝２内の水に含まれる泥等の汚物により容器１２（収容部３１）が汚れた場合であっても、この容器１２の衛生状態にかかわりなく、薬剤の補充作業を行うことが可能となる。よって、不衛生な状態で薬剤の補充作業を行うことを回避できる。
【００７７】
さらに、収容部３１を、グレーチング本体１１に後付けで取り付けることができる。したがって、主としてメインバー、クロスバーおよびエンドバーを備えるような既存のグレーチング（グレーチング本体）に容器１２を後付けで適用し、これにより害虫の発生を防止するための機能を前記既存のグレーチングに対して簡単に付与することが可能となる。
【００７８】
そのうえ、グレーチング本体１１を集水桝２の開口部７に装着した後、例えば、集水桝２内の水に含まれる泥等の汚物により放出孔３３が詰まった場合には、グレーチング本体１１を移動させずに、収容部３１（容器１２）をグレーチング本体１１から集水桝２の外部空間側へ取り外して、清掃を行うことが可能となる。つまり、容器１２の清掃の容易化を図ることができる。
【００７９】
また、本実施形態においては、取付部３４が引掛部５１を有するので、引掛部５１をメインバー２５（グレーチング本体１１）に引っ掛けて、収容部３１をグレーチング本体１１に集水桝２の外部空間８側から着脱可能に取り付けることができる。よって、グレーチング本体１１への収容部３１ひいては容器１２の取付作業の容易化を図ることができる。しかも、容器１２を既存のグレーチング本体（グレーチング）に後付けで簡単に適用することが可能となる。
【００８０】
また、本実施形態においては、図５、図６、図７、図８等に示されるように、容器１２が、導入口３２を開閉可能に覆うための開閉部材６１を備えている。開閉部材６１は、図１０（ａ）に示されるように、開閉部材６１が導入口３２を覆う（閉塞する）閉状態と、図１０（ｂ）に示されるように導入口３２が開放され開状態とをとり得るように構成されている。
【００８１】
詳しくは、開閉部材６１は、概ね矩形板状を有している。開閉部材６１は、導入口３２の前後幅よりも大きくかつグレーチング本体１１における貫通孔１７（第１貫通孔１７Ａ）よりも小さい前後幅を有している。開閉部材６１は、導入口３２および貫通孔１７の各々の左右幅より若干小さい左右幅を有している。
【００８２】
開閉部材６１は、収容部３１の上端部（導入口３２）付近に可動するように設けられている。開閉部材６１は、収容部３１の周壁部に回動軸６３を介して回動可能に支持されている。ここで、開閉部材６１は、回動軸６３に巻回された巻回部６４を開閉部材６１の後端部に備えている。
【００８３】
開閉部材６１は、閉状態をとる場合、収容部３１を挿通させた貫通孔１７内において、容器１２の導入口３２の大部分と上方から重なるように配置される。そして、開閉部材６１は、前部で収容部３１の周壁部に下方から支持され、後部で回動軸６３に支持される。
【００８４】
開閉部材６１は、また、収容部３１がグレーチング本体１１に取り付けられたとき（容器１２がグレーチング本体１１に保持されたとき）に閉状態と開状態とをグレーチング本体１１の上方空間４８側から切り替えることができるように、グレーチング本体１１の上面部１５付近に設けられている。
【００８５】
このような構成により、開閉部材６１の開閉を、容器１２の上方（容器１２を保持したグレーチング本体１１の上方空間４８側）から行うことが可能となる。そして、開閉部材６１を、図１０（ｂ）の矢印６６方向へ回動軸６３を支点として回動させることによって、閉状態にすることが可能となる。開閉部材６１が閉状態をとる場合に、この開閉部材６１を、図１０（ａ）の矢印６７方向へ回動軸６３を支点として回動させることによって、開状態にすることが可能となる。
【００８６】
したがって、集水桝２への容器１２の適用時（グレーチング１の使用時）に、開閉部材６１を閉状態にすることによって、収容部３１の内部空間に集水桝２の外部空間８から導入口３２を介してゴミ等の不要物が入ることを抑制できる。また、この際、開閉部材６１を開状態にすることによって、薬剤を集水桝２の外部空間８から導入口３２を介して収容部３１の内部空間に入れることが可能となる。つまり、薬剤の補充作業を開閉部材６１により妨げられずに済む。
【００８７】
また、本実施形態においては、開閉部材６１が、収容部３１の外部空間に開口しかつ収容部３１の内部空間に開口する通孔６８を有している。通孔６８は、開閉部材６１を上下方向に貫通するように少なくとも１つ設けられる。ここでは、通孔６８は、開閉部材６１に１つ設けられている。
【００８８】
このような構成により、集水桝２への容器１２の適用時（集水桝２へのグレーチング１の設置時）、開閉部材６１を閉状態にしても、収容部３１の内部空間を、通孔６８を介して収容部３１の外部空間、即ち集水桝２の外部空間８に連通させることが可能となる。そのため、水を、集水桝２の外部空間８から、開閉部材６１の通孔６８を介して、収容部３１の内部空間に導入できる。
【００８９】
したがって、この際、開閉部材６１の開閉状態を切り替える手間をかけずに開閉部材６１を閉状態としたまま、降雨等の自然現象や人為的な給水行為による水を収容部３１の内部空間へ導入できる。結果、薬剤３０を水溶性薬剤とした場合に、開閉部材６１が存在しても、薬剤３０を水に簡便に溶かして、集水桝２の内部空間６（溜水部３）へ放出（徐放）することができる。
【００９０】
なお、本発明における通孔は、本実施形態においては前述のような通孔６８としているが、これに限定するものではなく、その数や形状は、収容部３１の内部空間への不要物の侵入の阻止や、収容部３１の内部空間への水の導入量等を考慮して、適宜設定することが可能である。
【００９１】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００９２】
１    グレーチング
２    集水桝
６    集水桝の内部空間
８    集水桝の外部空間
１１  グレーチング本体
１２  容器
３０  薬剤
３１  収容部
３２  導入口
３３  放出孔
３４  取付部
５１  引掛部
６１  開閉部材
６８  通孔
【図１】
2019054770.tif 000003
【図２】
2019054770.tif 000004
【図３】
2019054770.tif 000005
【図４】
2019054770.tif 000006
【図５】
2019054770.tif 000007
【図６】
2019054770.tif 000008
【図７】
2019054770.tif 000009
【図８】
2019054770.tif 000010
【図９】
2019054770.tif 000011
【図１０】
2019054770.tif 000012
【手続補正書】
【提出日】平成30年12月25日(2018.12.25)
【手続補正１】
【補正対象書類名】明細書
【補正対象項目名】全文
【補正方法】変更
【補正の内容】
【発明の詳細な説明】
【技術分野】
【０００１】
本発明は、グレーチングのための容器およびグレーチングに関する。
【背景技術】
【０００２】
従来、排水・汚水の流通路をなす溝または集水桝には、グレーチングが設置されたものがある。そして、このような溝または集水桝のうちの任意の領域（例えば、水が滞留しやすい領域）に対して、蚊またはハエ等の害虫が発生することを防止するために、害虫防除手段が適用されることがある。
【０００３】
前記害虫防除手段としては、例えば、特許文献１（図４等）に、害虫忌避剤を収容した害虫防除具を集水桝の溜まり水に没するように吊下手段により前記集水桝の開口部側から宙吊りして、水没状態にある前記害虫防除具から前記集水桝の溜まり水に前記害虫忌避剤を放出するものが開示されている。
【先行技術文献】
【特許文献】
【０００４】
【特許文献１】特開２０１６−０９６７７８号公報
【発明の概要】
【発明が解決しようとする課題】
【０００５】
特許文献１に記載のような害虫防除手段によれば、害虫防除具が、集水桝内で水中に設置されるので、前記集水桝内の水に含まれる泥等の汚物によりひどく汚れる場合が多い。そのため、汚れた前記害虫防除具および吊下手段を前記集水桝から取り出し、不衛生な前記害虫防除具に対して害虫忌避剤を補充しなければならない問題がある。
【０００６】
本発明は、このような問題に鑑みてなされたものであり、グレーチングを溝または集水桝に設置したとき、前記溝または集水桝に適用され、収容した薬剤を用いて前記溝または集水桝における害虫の発生を防止可能とするだけでなく、不衛生な状態で前記薬剤の補充作業を行うことを回避可能とする、グレーチングのための容器およびグレーチングの提供を目的とする。
【課題を解決するための手段】
【０００７】
本発明は、
貫通孔が設けられているグレーチング本体を備えるグレーチングに用いられる容器であって、
害虫防除用の薬剤を収容するための収容部と、
前記収容部の内部空間に前記薬剤を導入するための導入口と、
前記収容部の内部空間から前記収容部の外部空間へ前記薬剤を放出するための放出孔と、
前記グレーチングが溝または集水桝に設置されたときに前記放出孔が前記溝または集水桝の内部空間に位置し、前記導入口が前記溝または集水桝の外部空間に向かって開口し、かつ、前記収容部の上部側が前記グレーチング本体の前記貫通孔に挿入された状態で前記収容部の下部側が前記グレーチング本体の下面部よりも下方へ位置するように、前記収容部を前記グレーチングのグレーチング本体に前記溝または集水桝の外部空間側から着脱可能に取り付けるための取付部とを備える、グレーチングのための容器であり得る。
【０００８】
この構成によれば、前記取付部を用いて前記収容部を前記グレーチング本体に前記溝または集水桝の外部空間側から着脱可能に取り付けることが可能となる。そのため、前記収容部を取り付けた前記グレーチング本体により前記グレーチングを構成し、これを前記溝または集水桝に設置する（前記グレーチング本体を前記溝または集水桝の開口部に装着する）ことによって、前記容器を前記グレーチング本体と共に前記溝または集水桝に適用できる。
【０００９】
したがって、前記グレーチングを使用するために前記溝または集水桝に設置したとき、前記薬剤を前記グレーチング本体に取り付けられた前記収容部の内部空間から前記溝または集水桝の内部空間へ前記放出孔を介して放出することが可能となる。よって、前記薬剤を用いて、前記溝または集水桝における害虫の発生を防止できる。
【００１０】
また、前記収容部が前記グレーチング本体に取り付けられている際には、前記導入口が前記溝または集水桝の外部空間に向かって開口するので、前記溝または集水桝の開口部に装着された前記グレーチング本体を当該開口部から取り外すことなく、即ち前記グレーチングを前記溝または集水桝に設置したまま、前記導入口を介して薬剤を前記収容部に補充できる。
【００１１】
したがって、前記グレーチング本体が前記溝または集水桝の開口部に装着された状態で時間が経過して、前記溝または集水桝内の水に含まれる泥等の汚物により前記容器（前記収容部）が汚れた場合であっても、この容器の衛生状態にかかわりなく、薬剤の補充作業を行うことが可能となる。よって、不衛生な状態で薬剤の補充作業を行うことを回避できる。
【００１２】
さらに、前記収容部を、前記グレーチング本体に後付けで取り付けることができる。したがって、主としてメインバー、クロスバーおよびエンドバーを備えるような既存のグレーチング（グレーチング本体）に前記容器を後付けで適用し、これにより害虫の発生を防止するための機能を前記既存のグレーチングに対して簡単に付与することが可能となる。
【００１３】
そのうえ、前記グレーチング本体を前記溝または集水桝の開口部に装着した後、例えば、前記溝または集水桝内の水に含まれる泥等の汚物により前記放出孔が詰まった場合には、前記グレーチング本体を移動させずに、前記収容部を前記グレーチング本体から前記溝または集水桝の外部空間側へ取り外して、清掃を行うことが可能となる。つまり、前記容器の清掃の容易化を図ることができる。
【００１４】
本発明の別の態様によれば、
前記容器が、
前記導入口を開閉可能に覆うための開閉部材を備える。
【００１５】
この構成によれば、前記溝または集水桝への前記容器の適用時に、前記開閉部材をこれが前記導入口を覆う閉状態にすることによって、前記収容部の内部空間に前記溝または集水桝の外部空間から前記導入口を介してゴミ等の不要物が入ることを抑制できる。また、この際、前記開閉部材を前記導入口が開放される開状態にすることによって、前記薬剤を前記溝または集水桝の外部空間から前記導入口を介して前記収容部の内部空間に入れることが可能となる。つまり、薬剤の補充作業を前記開閉部材により妨げられずに済む。
【００１６】
本発明の更なる態様によれば、
前記開閉部材が、
前記収容部の外部空間に開口しかつ前記収容部の内部空間に開口し得る通孔を有する。
【００１７】
この構成によれば、前記溝または集水桝への前記容器の適用時に、前記開閉部材を閉状態にしても、前記収容部の内部空間を、前記通孔を介して前記収容部の外部空間、即ち前記溝または集水桝の外部空間に連通させることが可能となる。そのため、水を、前記溝または集水桝の外部空間から、前記開閉部材の通孔を介して、前記容器の収容部の内部空間に導入することが可能となる。
【００１８】
したがって、この際、前記開閉部材の開閉状態を切り替える手間をかけずに前記開閉部材を閉状態としたまま、降雨等の自然現象や人為的な給水行為による水を前記収容部の内部空間へ導入できる。結果、前記薬剤を水溶性薬剤とした場合に、前記開閉部材が存在しても、前記薬剤を水に簡便に溶かして、前記集水桝の内部空間へ放出することができる。
【００１９】
本発明のまた別の態様によれば、
前記取付部が、
前記グレーチング本体に引っ掛けられ得る引掛部を有する。
【００２０】
この構成によれば、前記引掛部を前記グレーチング本体に引っ掛ることによって、前記収容部を前記グレーチング本体に前記溝または集水桝の外部空間側から着脱可能に取り付けることができる。よって、前記グレーチング本体への収容部ひいては前記容器の取付作業の容易化を図ることができる。しかも、前記容器を既存のグレーチング本体に後付けで簡単に適用することが可能となる。
【００２１】
本発明は、また、
前記グレーチングのための容器を有するグレーチングであり得る。
【発明の効果】
【００２２】
本発明によれば、グレーチングを溝または集水桝に設置したとき、前記溝または集水桝に適用され、収容した薬剤を用いて前記溝または集水桝における害虫の発生を防止可能とするだけでなく、不衛生な状態で前記薬剤の補充作業を行うことを回避可能とする、グレーチングのための容器を提供できる。
【図面の簡単な説明】
【００２３】
【図１】本発明の一実施形態に係る容器および当該容器を有するグレーチングの使用状態の一例を示す断面図である。
【図２】図１のグレーチングの平面図である。
【図３】図２のＡ−Ａ矢視断面図である。
【図４】図２のＢ−Ｂ矢視断面図である。
【図５】図２のグレーチングにおける容器の正面図である。
【図６】図２のグレーチングにおける容器の平面図である。
【図７】図６のＣ−Ｃ矢視断面図である。
【図８】図６のＤ−Ｄ矢視断面図である。
【図９】図５の容器の取付過程を示す断面図である。（ａ）容器の取付前の状態を示す図である。（ｂ）容器の取付後の状態を示す図である。
【図１０】図５の容器における開閉部材の開閉状態を示す断面図である。（ａ）容器の閉状態を示す図である。（ｂ）容器の開状態を示す図である。
【発明を実施するための形態】
【００２４】
本発明の一実施形態について図面を参照しつつ説明する。
【００２５】
図１に、本発明の一実施形態に係る後述の容器１２および当該容器１２を有するグレーチング１の使用状態の一例を表す断面図を示す。
【００２６】
図１に示されるように、容器１２を有するグレーチング１は、排水・汚水の流通路（本実施形態においては、排水・汚水を集水するための集水桝２）に対して使用され得る。容器１２を有するグレーチング１は、その使用時、集水桝２内の水（溜水部３）をその上方から覆うことができるように、集水桝２に設置される。
【００２７】
集水桝２は、本実施形態においては、流入管４と、流出管５とに接続されている。ここで、流入管４は、集水桝２の内部空間６に向かって排水・汚水を流入させるためのものである。流出管５は、集水桝２からその外側へ排水・汚水を流出させるためのものである。
【００２８】
集水桝２は、グレーチング１を設置するための開口部７を有している。開口部７は、集水桝２の内部空間６と外部空間８とを連通させるように、地面９の高さに合わせて形成されている。そしてこの開口部７に、グレーチング１を支持するための受部１０が備えられている。
【００２９】
なお、本発明に係る容器を有するグレーチングは、本実施形態においては集水桝２に使用されるグレーチング１としているが、これに限定するものではなく、例えば、排水・汚水の流通路に含まれる側溝（排水・汚水を流通させ得る溝）に使用されるグレーチングとすることも可能である。
【００３０】
図２に、グレーチング１の平面図を示す。図３に、図２のＡ−Ａ矢視断面図を示す。図４に、図２のＢ−Ｂ矢視断面図を示す。
【００３１】
以下では、図２、図４における矢印Ｘの方向をグレーチング１（容器１２）の前方向とする。図２、図３における矢印Ｙの方向をグレーチング１（容器１２）の左方向とする。図３、図４における矢印Ｚの方向をグレーチング１（容器１２）の上方向とする。
【００３２】
図２、図３、図４に示されるように、グレーチング１は、グレーチング本体１１と、容器１２とを備えている。なお、グレーチング本体１１は公知のグレーチングと同様の構成を有するものである。そのため、グレーチング本体１１として、公知のグレーチングを採用することも可能である。
【００３３】
本実施形態において、グレーチング本体１１は、上面部１５と、下面部１６と、上面部１５から下面部１６まで貫通する複数の貫通孔１７とを有し、上面部１５が集水桝２の外部空間８に臨みかつ下面部１６が集水桝２の内部空間６に臨むように、集水桝２の開口部７に装着可能に構成されている（図１参照）。
【００３４】
グレーチング本体１１は、集水桝２の開口部７に応じた形状、具体的には矩形板状を有している。グレーチング本体１１は、集水桝２の開口部７への装着時に受部１０に載置される。グレーチング本体１１は、メインバー２５と、クロスバー２６と、エンドバー２７とを備えている。
【００３５】
メインバー２５は、金属製の部材である。メインバー２５は、複数設けられている。複数のメインバー２５は、それぞれ、グレーチング１の前後方向に延在するように配置されている。複数のメインバー２５は、また、グレーチング１の左右方向において一定間隔ごとに配置されている。
【００３６】
クロスバー２６は、金属製の部材である。ここで、クロスバー２６は、角鋼棒を捩じって形成された、いわゆるツイストバーである。クロスバー２６は、複数設けられている。複数のクロスバー２６は、それぞれ、グレーチング１の左右方向に延在するように配置されている。
【００３７】
複数のクロスバー２６は、また、グレーチング１の前後方向において一定間隔ごとに配置されている。各クロスバー２６は、複数のメインバー２５の上端部に固定されている。こうして、複数のクロスバー２６が、複数のメインバー２５と格子状に組まれている。
【００３８】
エンドバー２７は、金属製の部材である。エンドバー２７は、複数のメインバー２５の前方および後方の各々に設けられている。前側のエンドバー２７は、複数のメインバー２５の前端部に固定されている。後側のエンドバー２７は、複数のメインバー２５の後端部に固定されている。
【００３９】
そして、これらのメインバー２５、クロスバー２６およびエンドバー２７を適宜用いて、複数の貫通孔１７が形成されている。複数の貫通孔１７は、グレーチング１の前後方向に直線状に列をなすように配置されるとともに、グレーチング１の左右方向に直線状に列をなすように設けられている。
【００４０】
複数の貫通孔１７は、メインバー２５とクロスバー２６とにより形成される複数の第１貫通孔１７Ａと、メインバー２５とクロスバー２６とエンドバー２７とにより形成される複数の第２貫通孔１７Ｂとを含んでいる。複数の第１貫通孔１７Ａは、ほぼ均一な大きさの開口面積を有している。
【００４１】
複数の第２貫通孔１７Ｂは、ほぼ均一な大きさの開口面積を有している。第２貫通孔１７Ｂの開口面積は、第１貫通孔１７Ａの開口面積よりも小さく設定されている。なお、各貫通孔１７（各第１貫通孔１７Ａ、各第２貫通孔１７Ｂ）の開口面積は、このような開口面積に限定されず、適宜設定され得る。
【００４２】
図５に、容器１２の正面図を示す。図６に、容器１２の平面図を示す。図７に、図６のＣ−Ｃ矢視断面図を示す。図８に、図６のＤ−Ｄ矢視断面図を示す。なお、図５、図６、図７、図８においては、本実施形態における容器１２の導入口３２が後述の開閉部材６１により開閉可能に覆われた状態を示している。
【００４３】
図５、図６、図７、図８に示されるように、容器１２は、害虫防除用の薬剤３０を収容するための収容部３１と、収容部３１の内部空間に薬剤３０を導入するための導入口３２と、収容部３１の内部空間から収容部３１の外部空間へ薬剤３０を放出するための放出孔３３とを有している。
【００４４】
容器１２は、取付部３４を更に有している。この取付部３４は、グレーチング１が集水桝２に設置されたときに放出孔３３が集水桝２の内部空間６に位置しかつ導入口３２が集水桝２の外部空間に向かって開口するように、収容部３１をグレーチング本体１１に集水桝２の外部空間８側から着脱可能に取り付けるためのものである。
【００４５】
本実施形態において、容器１２は、グレーチング本体１１に対して１つ設けられている。なお、容器１２は、１つのグレーチング本体１１に対して少なくとも１つ設けられるものであり、１つのグレーチング本体１１に対して複数設けられるものとすることも可能である。
【００４６】
容器１２は、図３、図４に示されるように、取付部３４により収容部３１をグレーチング本体１１に着脱可能に取り付けることによって、グレーチング本体１１の貫通孔１７（第１貫通孔１７Ａ）に挿通された状態で、グレーチング本体１１に着脱可能に保持されるようになっている。
【００４７】
収容部３１は、金属製の部材である。収容部３１は、薬剤３０を収容できる形状、本実施形態においては箱状に形成されている。詳しくは、収容部３１は、中空の直方体状に形成されている。収容部３１は、グレーチング本体１１の貫通孔１７（第１貫通孔１７Ａ）に挿通可能に構成されている。
【００４８】
詳しくは、収容部３１は、グレーチング本体１１の前後幅よりも小さくかつ１つの貫通孔１７（第１貫通孔１７Ａ）の前後幅よりも小さい前後幅を有している。収容部３１は、グレーチング本体１１の左右幅よりも小さくかつ１つの貫通孔１７（第１貫通孔１７Ａ）の左右幅よりも小さい左右幅を有している。
【００４９】
収容部３１は、さらに、グレーチング本体１１の上下幅よりも大きい上下幅を有している。なお、収容部３１の上下幅は、本実施形態においてはグレーチング１が集水桝２に設置されたとき（容器１２が集水桝２に適用されたとき）に通常なら溜水部３に没しないように設定されているが、適宜設定可能である。
【００５０】
こうして、収容部３１は、容器１２がグレーチング本体１１に保持される際、収容部３１の上部側がグレーチング本体１１の貫通孔１７（第１貫通孔１７Ａ）に挿入された状態で、収容部３１の下部側がグレーチング本体１１の下面部１６よりも下方へ位置するようになっている。
【００５１】
また、収容部３１は、底部４１と、周壁部（前壁部４２、後壁部４３、左壁部４４および右壁部４５）とを有している。収容部３１は、その天井部（上部）が上方へ向かって開放されるように形成されている。そしてこの収容部３１の天井部に、導入口３２が設けられている。
【００５２】
底部４１は、矩形平板状に形成されており、グレーチング本体１１とほぼ同様に前後・左右に広がるように配置されている。底部４１は、容器１２がグレーチング本体１１に保持される際、図３、図４に示されるように、グレーチング本体１１の下面部１６に対してその下方へ離間した状態とされる。
【００５３】
前壁部４２および後壁部４３は、それぞれ、矩形平板状に形成されており、上下・左右に広がるように配置されている。前壁部４２および後壁部４３は、それぞれ、底部４１の前端部および後端部に、収容部３１の天井部側（上方）に向かって突出するように設けられている。
【００５４】
左壁部４４および右壁部４５は、それぞれ、矩形平板状に形成されており、上下・前後に広がるように配置されている。左壁部４４および右壁部４５は、それぞれ、底部４１の左端部および右端部に、収容部３１の天井部側（上方）に向かって突出するように設けられている。
【００５５】
こうして、収容部３１に、底部４１とその四方に配置された前記周壁部、即ち前壁部４２、後壁部４３、左壁部４４および右壁部４５により形成された内部空間が形成されている。そしてこの内部空間に、薬剤３０が、底部４１に載置されかつ前記周壁部により囲まれた状態で収容され得るようになっている。
【００５６】
導入口３２は、前述のように収容部３１の天井部（上部）に設けられており、上下方向に開口している。導入口３２は、１つの貫通孔１７（第１貫通孔１７Ａ）の開口面積よりも小さい開口面積を有している。導入口３２は、収容部３１の前後幅および左右幅の各々よりも若干小さい前後幅および左右幅を有している。
【００５７】
こうして、導入口３２は、容器１２がグレーチング本体１１に保持される場合に、収容部３１が貫通孔１７（第１貫通孔１７Ａ）に挿通されるのに伴い、その貫通孔１７の内壁に囲まれ、前記内壁で囲まれた状態で収容部３１の内部空間をグレーチング本体１１の上方空間４８と連通させるようになっている。
【００５８】
なお、導入口３２の開口面積は、１つの貫通孔１７の開口面積よりも小さい範囲において適宜設定される。導入口３２の開口面積は、また、粒状、粉状、錠剤状、細断状または塊状等の形状を有する薬剤３０が収容部３１の内部空間に向かって導入口３２を通過できるように適宜設定される。
【００５９】
また、放出孔３３は、収容部３１に少なくとも１つ設けられている。本実施形態において、放出孔３３は、収容部３１に複数設けられている。複数の放出孔３３は、それぞれ収容部３１の周壁部（本実施形態においては、前壁部４２および後壁部４３）にこれを前後方向に貫通するように設けられている。
【００６０】
詳しくは、放出孔３３は、第１放出孔３３Ａと、第２放出孔３３Ｂとを含んでいる。第１放出孔３３Ａは、丸孔状に形成され、前記周壁部の上側から下側にわたる領域に分散した状態で設けられている。第２放出孔３３Ｂは、前記周壁部のうち底部４１の近くにある領域に設けられている。
【００６１】
こうして、放出孔３３は、グレーチング本体１１が容器１２を保持した状態で集水桝２の開口部７に装着されたとき（グレーチング１が集水桝２に設置されたとき）、収容部３１の内部空間（薬剤３０の収容空間）を、収容部３１の外部空間に、即ち集水桝２の内部空間６に連通させるようになっている。
【００６２】
なお、本発明における放出孔は、本実施形態においては前述のように第１放出孔３３Ａと第２放出孔３３Ｂとを含む放出孔３３としているが、これに限定するものではない。
【００６３】
取付部３４は、収容部３１ひいては容器１２全体をグレーチング本体１１に取り付けるためのものであり、収容部３１に設けられている。本実施形態において、取付部３４は、収容部３１の左右両側に配置されている。そして、取付部３４は、それぞれの側で収容部３１の周壁部（左壁部４４、右壁部４５）の上端部に一体的に接続されている。
【００６４】
そして、取付部３４が、容器１２をグレーチング本体１１に保持できるように構成されている。取付部３４は、導入口３２がグレーチング本体１１の上面部１５付近に位置するように、収容部３１を貫通孔１７に挿通させつつグレーチング本体１１に取り付け得るようになっている。
【００６５】
詳しくは、取付部３４は、放出孔３３がグレーチング本体１１の下面部１６よりも下方に位置しかつ導入口３２がグレーチング本体１１の上方空間４８に向かって開口するように、収容部３１をグレーチング本体１１の下面部１６から下方へ突出させた状態でグレーチング本体１１に保持できるようになっている。
【００６６】
本実施形態において、取付部３４は、グレーチング本体１１に引っ掛けられ得る引掛部５１を有している。引掛部５１は、フック状の部分であり、第１の部分５１ａと、第２の部分５１ｂとを有している。第１の部分５１ａは、収容部３１の周壁部からその側方へ突出するように設けられている。
【００６７】
第２の部分５１ｂは、第１の部分５１ａの突出端部（前記周壁部とは反対側にある端部）に収容部３１の周壁部と対向するように突出した状態で設けられている。第２の部分５１ｂは、収容部３１の周壁部に対し、これとの間にグレーチング本体１１のメインバー２５を挟むことができるように配置されている。
【００６８】
第２の部分５１ｂは、１つの貫通孔１７（第１貫通孔１７Ａ）の前後幅よりも小さい前後幅と、１つの貫通孔１７（第１貫通孔１７Ａ）の左右幅よりも小さい左右幅とを有している。また、第２の部分５１ｂは、グレーチング本体１１よりも小さい（クロスバー２６の上下幅とほぼ同じ）上下幅を有している。
【００６９】
こうして、引掛部５１が、収容部３１を挿通させる貫通孔１７の側方に存在する貫通孔１７に第２の部分５１ｂを上方（上方空間４８側）から挿入し、つづいて第１の部分５１ａをメインバー２５にて下方から支持することによって、メインバー２５に上方空間４８側へ移動可能に引っ掛けられ得るようになっている。
【００７０】
また、収容部３１に収容される薬剤３０としては、蚊またはハエ等の害虫の発生を防止できる公知の害虫防除用薬剤を採用することができる。この薬剤としては、例えば、商品名：スミラブ固形剤WM「SES」（住化エンバイロメンタルサイエンス株式会社製）を挙げることができる。
【００７１】
このような構成により、取付部３４を用いて収容部３１を集水桝２の外部空間８側からグレーチング本体１１に着脱可能に取り付ける（容器１２をグレーチング本体１１に保持する）ことが可能となる。そのため、収容部３１を取り付けたグレーチング本体１１によりグレーチング１を構成し、これを集水桝２に設置する（グレーチング本体１１を集水桝２の開口部７に装着する）ことによって、容器１２をグレーチング本体１１と共に集水桝２に適用できる。
【００７２】
詳しくは、図９（ａ）に示されるように、容器１２がグレーチング本体１１から離間している取付前には、グレーチング本体１１の上方から、収容部３１を複数の貫通孔１７のうちいずれかの貫通孔１７に通す。そして、図９（ｂ）に示されるように、取付部３４の引掛部５１をグレーチング本体１１のメインバー２５に引っ掛けて、取付部３４をグレーチング本体１１に装着する。
【００７３】
そしてこの取付部３４を装着した状態のグレーチング本体１１を集水桝２の開口部７に装着する（グレーチング１を集水桝２に設置する）ことによって、図１に示すように、放出孔３３が集水桝２の内部空間６に開口しかつ導入口３２が集水桝２の外部空間８に開口するように、容器１２をグレーチング本体１１と共に集水桝２に適用できる。
【００７４】
したがって、グレーチング本体１１を集水桝２の開口部７に装着したとき（グレーチング１を集水桝２に設置したとき）、薬剤３０をグレーチング本体１１に取り付けられた収容部３１の内部空間から集水桝２の内部空間６（溜水部３）へ放出孔３３を介して放出（徐放）することが可能となる。よって、薬剤３０を用いて、集水桝２における害虫の発生を防止できる。
【００７５】
また、収容部３１がグレーチング本体１１に取り付けられている際には、導入口３２が集水桝２の外部空間８に向かって開口するので、集水桝２の開口部７に装着されたグレーチング本体１１を当該開口部７から取り外すことなく、即ちグレーチング１を集水桝２に設置したまま、導入口３２を介して薬剤を、収容部３１に補充できる。
【００７６】
したがって、グレーチング本体１１が集水桝２の開口部７に装着された状態で時間が経過して、集水桝２内の水に含まれる泥等の汚物により容器１２（収容部３１）が汚れた場合であっても、この容器１２の衛生状態にかかわりなく、薬剤の補充作業を行うことが可能となる。よって、不衛生な状態で薬剤の補充作業を行うことを回避できる。
【００７７】
さらに、収容部３１を、グレーチング本体１１に後付けで取り付けることができる。したがって、主としてメインバー、クロスバーおよびエンドバーを備えるような既存のグレーチング（グレーチング本体）に容器１２を後付けで適用し、これにより害虫の発生を防止するための機能を前記既存のグレーチングに対して簡単に付与することが可能となる。
【００７８】
そのうえ、グレーチング本体１１を集水桝２の開口部７に装着した後、例えば、集水桝２内の水に含まれる泥等の汚物により放出孔３３が詰まった場合には、グレーチング本体１１を移動させずに、収容部３１（容器１２）をグレーチング本体１１から集水桝２の外部空間側へ取り外して、清掃を行うことが可能となる。つまり、容器１２の清掃の容易化を図ることができる。
【００７９】
また、本実施形態においては、取付部３４が引掛部５１を有するので、引掛部５１をメインバー２５（グレーチング本体１１）に引っ掛けて、収容部３１をグレーチング本体１１に集水桝２の外部空間８側から着脱可能に取り付けることができる。よって、グレーチング本体１１への収容部３１ひいては容器１２の取付作業の容易化を図ることができる。しかも、容器１２を既存のグレーチング本体（グレーチング）に後付けで簡単に適用することが可能となる。
【００８０】
また、本実施形態においては、図５、図６、図７、図８等に示されるように、容器１２が、導入口３２を開閉可能に覆うための開閉部材６１を備えている。開閉部材６１は、図１０（ａ）に示されるように、開閉部材６１が導入口３２を覆う（閉塞する）閉状態と、図１０（ｂ）に示されるように導入口３２が開放され開状態とをとり得るように構成されている。
【００８１】
詳しくは、開閉部材６１は、概ね矩形板状を有している。開閉部材６１は、導入口３２の前後幅よりも大きくかつグレーチング本体１１における貫通孔１７（第１貫通孔１７Ａ）よりも小さい前後幅を有している。開閉部材６１は、導入口３２および貫通孔１７の各々の左右幅より若干小さい左右幅を有している。
【００８２】
開閉部材６１は、収容部３１の上端部（導入口３２）付近に可動するように設けられている。開閉部材６１は、収容部３１の周壁部に回動軸６３を介して回動可能に支持されている。ここで、開閉部材６１は、回動軸６３に巻回された巻回部６４を開閉部材６１の後端部に備えている。
【００８３】
開閉部材６１は、閉状態をとる場合、収容部３１を挿通させた貫通孔１７内において、容器１２の導入口３２の大部分と上方から重なるように配置される。そして、開閉部材６１は、前部で収容部３１の周壁部に下方から支持され、後部で回動軸６３に支持される。
【００８４】
開閉部材６１は、また、収容部３１がグレーチング本体１１に取り付けられたとき（容器１２がグレーチング本体１１に保持されたとき）に閉状態と開状態とをグレーチング本体１１の上方空間４８側から切り替えることができるように、グレーチング本体１１の上面部１５付近に設けられている。
【００８５】
このような構成により、開閉部材６１の開閉を、容器１２の上方（容器１２を保持したグレーチング本体１１の上方空間４８側）から行うことが可能となる。そして、開閉部材６１を、図１０（ｂ）の矢印６６方向へ回動軸６３を支点として回動させることによって、閉状態にすることが可能となる。開閉部材６１が閉状態をとる場合に、この開閉部材６１を、図１０（ａ）の矢印６７方向へ回動軸６３を支点として回動させることによって、開状態にすることが可能となる。
【００８６】
したがって、集水桝２への容器１２の適用時（グレーチング１の使用時）に、開閉部材６１を閉状態にすることによって、収容部３１の内部空間に集水桝２の外部空間８から導入口３２を介してゴミ等の不要物が入ることを抑制できる。また、この際、開閉部材６１を開状態にすることによって、薬剤を集水桝２の外部空間８から導入口３２を介して収容部３１の内部空間に入れることが可能となる。つまり、薬剤の補充作業を開閉部材６１により妨げられずに済む。
【００８７】
また、本実施形態においては、開閉部材６１が、収容部３１の外部空間に開口しかつ収容部３１の内部空間に開口する通孔６８を有している。通孔６８は、開閉部材６１を上下方向に貫通するように少なくとも１つ設けられる。ここでは、通孔６８は、開閉部材６１に１つ設けられている。
【００８８】
このような構成により、集水桝２への容器１２の適用時（集水桝２へのグレーチング１の設置時）、開閉部材６１を閉状態にしても、収容部３１の内部空間を、通孔６８を介して収容部３１の外部空間、即ち集水桝２の外部空間８に連通させることが可能となる。そのため、水を、集水桝２の外部空間８から、開閉部材６１の通孔６８を介して、収容部３１の内部空間に導入できる。
【００８９】
したがって、この際、開閉部材６１の開閉状態を切り替える手間をかけずに開閉部材６１を閉状態としたまま、降雨等の自然現象や人為的な給水行為による水を収容部３１の内部空間へ導入できる。結果、薬剤３０を水溶性薬剤とした場合に、開閉部材６１が存在しても、薬剤３０を水に簡便に溶かして、集水桝２の内部空間６（溜水部３）へ放出（徐放）することができる。
【００９０】
なお、本発明における通孔は、本実施形態においては前述のような通孔６８としているが、これに限定するものではなく、その数や形状は、収容部３１の内部空間への不要物の侵入の阻止や、収容部３１の内部空間への水の導入量等を考慮して、適宜設定することが可能である。
【００９１】
上述の教示を考慮すれば、本発明が多くの変更形態および変形形態をとり得ることは明らかである。したがって、本発明が、添付の特許請求の範囲内において、本明細書に記載された以外の方法で実施され得ることを理解されたい。
【符号の説明】
【００９２】
１    グレーチング
２    集水桝
６    集水桝の内部空間
８    集水桝の外部空間
１１  グレーチング本体
１２  容器
３０  薬剤
３１  収容部
３２  導入口
３３  放出孔
３４  取付部
５１  引掛部
６１  開閉部材
６８  通孔
【手続補正２】
【補正対象書類名】特許請求の範囲
【補正対象項目名】全文
【補正方法】変更
【補正の内容】
【特許請求の範囲】
【請求項１】
貫通孔が設けられているグレーチング本体を備えるグレーチングに用いられる容器であって、
害虫防除用の薬剤を収容するための収容部と、
前記収容部の内部空間に前記薬剤を導入するための導入口と、
前記収容部の内部空間から前記収容部の外部空間へ前記薬剤を放出するための放出孔と、
前記グレーチングが溝または集水桝に設置されたときに前記放出孔が前記溝または集水桝の内部空間に位置し、前記導入口が前記溝または集水桝の外部空間に向かって開口し、かつ、前記収容部の上部側が前記グレーチング本体の前記貫通孔に挿入された状態で前記収容部の下部側が前記グレーチング本体の下面部よりも下方へ位置するように、前記収容部を前記グレーチングのグレーチング本体に前記溝または集水桝の外部空間側から着脱可能に取り付けるための取付部とを備える、グレーチングのための容器。
【請求項２】
前記導入口を開閉可能に覆うための開閉部材を備える、請求項１に記載のグレーチングのための容器。
【請求項３】
前記開閉部材が、
前記収容部の外部空間に開口しかつ前記収容部の内部空間に開口し得る通孔を有する、請求項２に記載のグレーチングのための容器。
【請求項４】
前記取付部が、
前記グレーチング本体に引っ掛けられ得る引掛部を有する、請求項１から請求項３のいずれか一項に記載のグレーチングのための容器。
【請求項５】
請求項１から請求項４のいずれか一項に記載のグレーチングのための容器を有する、グレーチング。